(57)【要約】【課題】食品の油揚げ装置において、油槽内の温度の分布を均一化し、油槽の底に沈下した揚げかすを揚げ油の流れにより積極的に排出口まで滑り行かせる。【解決手段】食品搬送装置３に保持されている多数のフライイング容器４の内部に揚げ加工対象の食品２を収容し、フライイング容器４を搬送軌道に沿って移動させることによって、食品２を油槽５の内部の加熱状態の揚げ油６中を通過させて、食品２を揚げ加工する食品の油揚げ装置１において、油槽５の内底面７に油ノズル１０を内底面７の幅方向で複数に分割した状態で設けると共に、内底面７上で油ノズル１０の間に、複数の整流用の仕切板１２を食品２の搬送方向に対して平行に設け、油ノズル１０のノズル吹き出し口１９からの揚げ油６の流れを良好にし、油槽５の内部での揚げ油６の温度分布を均一化すると共に、揚げかす９を滞留することなく油槽５の油排出口８まで滑り行かせる。【選択図】図１
2008188255.tif 000002
【特許請求の範囲】
【請求項１】
食品搬送装置（３）に保持されている多数のフライイング容器（４）の内部に揚げ加工対象の食品（２）を収容し、フライイング容器（４）を搬送軌道に沿って移動させることによって、食品（２）を油槽（５）の内部の加熱状態の揚げ油（６）中を通過させて、食品（２）を揚げ加工する食品の油揚げ装置（１）において、
油槽（５）の内底面（７）に油ノズル（１０）を内底面（７）の幅方向で複数に分割した状態で設けると共に、内底面（７）上で油ノズル（１０）の間に、複数の整流用の仕切板（１２）を食品（２）の搬送方向に対して平行に設け、油ノズル（１０）のノズル吹き出し口（１９）からの揚げ油（６）の流れを良好にし、油槽（５）の内部での揚げ油（６）の温度分布を均一化すると共に、揚げかす（９）を滞留することなく油槽（５）の油排出口（８）まで滑り行かせる、ことを特徴とする食品の油揚げ装置（１）。
【請求項２】
油槽（５）の内底面（７）を油槽（５）の油排出口（８）に向けて低く傾斜させ、揚げ油（６）中の揚げかす（９）を内底面（７）の上部から低い位置の油排出口（８）まで滑り行く勾配を内底面（７）に持たせると共に、油ノズル（１０）を低い位置の油排出口（８）に向けて設け、さらに油槽（５）の内底面（７）で油槽（５）内の揚げ油（６）の油面よりも上の位置に洗浄ノズル（１１）を油排出口（８）に向けて設ける、ことを特徴とする請求項１記載の食品の油揚げ装置（１）。
【発明の詳細な説明】
【技術分野】
【０００１】
本発明は、即席麺やカップ麺、その他各種の食品を油揚げ加工するための装置の改良に関する。
【背景技術】
【０００２】
食品工場での食品の油揚げ加工の過程において、食品の加工品質は、揚げ油の温度管理に大きく依存している。揚げ油の温度は、温度制御の技術によって、比較的容易に最適な目標温度に調節できる。しかし、油槽内で実際の揚げ油の温度は、揚げ油の不規則な流れによって不均一になりやすい。このため、揚げ油の温度管理が適切に行われていても、油槽内での揚げ油の温度分布が不均一な状態となっていると、食品の揚げ加工品質は最適なものとなりにくい。
【０００３】
また油揚げの過程で、油かすや食品破片などの揚げかすが発生するが、それらが油槽内沈下したり、揚げ油に浮遊すると、やがて揚げかすが揚げ加工対象の食品や油槽の内壁に付着するため、これらの揚げかすの存在も、食品の揚げ加工品質に悪影響を及ぼす。
【０００４】
なお、特許文献１や特許文献２は、油槽内に複数の仕切り板を平行に設ける、ことを開示している。しかし、それらの文献において、複数の仕切り板は、てんぷらなどの食品の油切り用の支持空間を構成するためのものであり、油槽内での揚げ油の温度分布や、揚げかすの処理に直接に関係しない。
【特許文献１】特開平８−５６８５３公報
【特許文献２】特開平８−５６８５４公報
【発明の開示】
【発明が解決しようとする課題】
【０００５】
本発明の課題は、食品の油揚げ装置において、油槽内の温度の分布を均一化すること、および油槽の底に沈下した揚げかすを揚げ油の流れにより積極的に排出口まで滑り行かせることである。
【課題を解決するための手段】
【０００６】
上記課題のもとに、本発明は、多数のフライイング容器を搬送軌道に沿って移動させることによって、フライイング容器内の食品を油槽内の加熱状態の揚げ油中を通過させ、食品を揚げ加工する食品の油揚げ装置において、油槽内の揚げ油吹き出し用の油ノズルを油槽の幅方向で複数に分割するとともに、油槽の内底面上に複数の整流用の仕切板を設けることによって、油ノズルの吹き出し口からの揚げ油の流れを良好にし、揚げ油の温度分布を均一化すると共に、揚げかすを滞留することなく排出方向に滑り行くようにしている。
【０００７】
具体的に記載すると、請求項１に係る発明は、食品搬送装置（３）に保持されている多数のフライイング容器（４）の内部に揚げ加工対象の食品（２）を収容し、フライイング容器（４）を搬送軌道に沿って移動させることによって、食品（２）を油槽（５）の内部の加熱状態の揚げ油（６）中を通過させて、食品（２）を揚げ加工する食品の油揚げ装置（１）において、油槽（５）の内底面（７）に油ノズル（１０）を内底面（７）の幅方向で複数に分割した状態で設けると共に、内底面（７）上で油ノズル（１０）の間に、複数の整流用の仕切板（１２）を食品（２）の搬送方向に対して平行に設け、油ノズル（１０）のノズル吹き出し口（１９）からの揚げ油（６）の流れを良好にし、油槽（５）の内部での揚げ油（６）の温度分布を均一化すると共に、揚げかす（９）を滞留することなく油槽（５）の油排出口（８）まで滑り行かせるようにしている。
【０００８】
請求項２に係る発明は、請求項１の食品の油揚げ装置（１）において、油槽（５）の内底面（７）を油槽（５）の油排出口（８）に向けて低く傾斜させ、揚げ油（６）中の揚げかす（９）を内底面（７）の上部から低い位置の油排出口（８）まで滑り行く勾配を内底面（７）に持たせると共に、油ノズル（１０）を低い位置の油排出口（８）に向けて設け、さらに油槽（５）の内底面（７）で油槽（５）内の揚げ油（６）の油面よりも上の位置に洗浄ノズル（１１）を油排出口（８）に向けて設けている。
【発明の効果】
【０００９】
請求項１によると、油槽内の揚げ油吹き出し用の油ノズルが幅方向で複数に分割されており、油槽の内底面上に複数の整流用の仕切板が設けられているから、油ノズルの吹き出し口からの揚げ油の流れが油槽内で良好となり、揚げ油の温度分布を均一化し、揚げ品質を高めると共に、揚げ油の流れ揚げかすを滞留することなく排出方向に滑り行かせることによって、揚げ対象の食品に対してる揚げかすの付着が防止できる。
【００１０】
請求項２によると、油槽の内底面の傾斜や、油ノズルの向きによって、揚げ油中の揚げかすが油排出口まで一層確実に移動することのほか、油面よりも高い位置に洗浄ノズルがあるから、洗浄ノズルは揚げ油によって汚染されず、また清掃時に、洗浄ノズルからの洗浄液の噴射によって、揚げかすなどを油排出口の方向に移動させるから、その回収も容易となり、油槽の内底面の清掃が短時間に行え、揚げかすの除去も容易で確実に行える。
【発明を実施するための最良の形態】
【００１１】
図１は、本発明に係る食品の油揚げ装置１の全体的な構成を示し、図２ないし図６は、食品の油揚げ装置１の一部の構成を拡大して示している。図１に示すように、食品の油揚げ装置１は、揚げ加工対象の即席麺やカップ麺、その他の食品２の食品搬送装置３としての食品搬送コンベア２１および蓋搬送コンベア２２、食品搬送コンベア２１に保持され、内部に食品２を収容する上面開口型の多数のフライイング容器４、蓋搬送コンベア２２に保持され、フライイング容器４と向き合ったときにフライイング容器４の上面開口部を閉じてフライイング容器４内の食品２を容器内に拘束する多数の蓋２３、食品搬送コンベア２１の搬送軌道中で加熱状態の揚げ加工用の揚げ油６を収容する油槽５などによって構成されている。
【００１２】
この例で、油槽５の内底面７は、搬送方向上流側（食品２の投入側）で高い斜面、この斜面に連接される水平な平面、およびこの水平な平面に連接される搬送方向下流側（食品２の搬出側）で高い斜面により形成されている。このため、食品搬送コンベア２１は、内底面７の斜面、平面および斜面に対して所定の距離を置いて搬送軌道としており、その搬送軌道にそってフライイング容器４や、蓋２３を移動させる。なお、フライイング容器４および蓋２３の一部は、金網、パンチングメタルなどの油液通過可能な板状体により構成されている。
【００１３】
食品搬送コンベア２１は、エンドレス状のコンベアチエーン２４により構成されており、矢印表示の搬送方向において、前後のチエーンホイール２５に上下として巻き掛けられ、上側のコンベアチエーン２４を多数のフライイング容器４とともに油槽５の内部に位置させている。食品搬送コンベア２１の上側のコンベアチエーン２４は、油槽５の上方位置で油槽５の内部を搬送軌道としており、その搬送軌道に沿って一定ピッチのフライイング容器４を揚げ油６の油液中を順次に移動させる。なお、チエーンホイール２５は、図示しないが、速度調節可能な駆動装置によって搬送方向に駆動されるようになっている。
【００１４】
また、蓋搬送コンベア２２は、食品搬送コンベア２１と同様に、エンドレス状のコンベアチエーン２６により構成されており、搬送方向の前後のチエーンホイール２７に上下として巻き掛けられ、下側のコンベアチエーン２６を油槽５の内部に位置させ、フライイング容器４のピッチと同じピッチで保持している蓋２３を対応のフライイング容器４の上面開口部にあてがう。チエーンホイール２７も、チエーンホイール２５と同様に、図示しない速度調節可能な駆動装置によって搬送方向にチエーンホイール２５と同期し、それと同じ速度で駆動されるようになっている。
【００１５】
図２に示すように、食品搬送コンベア２１（コンベアチエーン２４・チエーンホイール２５）、および蓋搬送コンベア２２（コンベアチエーン２６・チエーンホイール２７）は、油槽５の内で、上下動自在の左右一対のフレーム１３に支持されている。左右一対のフレーム１３は、搬送方向に長く左右で連結されている枠体２９によって一体となっており、左右の枠体２９の部分で油槽５の上方に一体的に形成されている受け部３０の上面に挿脱可能に載置され、油槽５の内部で所定の高さに設定されている。このため揚げ加工時に、コンベアチエーン２４の上側およびコンベアチエーン２６の下側は、油槽５の内部に収容されている揚げ油６の油液中を通過し、フライイング容器４の内部の食品２を蓋２３で抑えながら揚げ油６に入れるようになっている。
【００１６】
なお、フライイング容器４は、実際には、搬送方向に対して直角の方向つまり油槽５の幅方向で複数例えば５列として配置され、図３に示すように、コンベアチエーン２４のアタッチメント３１により支持されている。これに対して蓋２３は、一例として５列のフライイング容器５に共通な１つのものとして構成され、図３に示すように、コンベアチエーン２６のアタッチメント３２により支持されている。もちろん、蓋２３は、５列のフライイング容器５毎に独立させ、５列のものとして構成することもできる。
【００１７】
図２および図３に示すように、コンベアチエーン２４のローラ３３は、左右一対のフレーム１３の内側に取付けられている搬送方向のガイドレール３５に沿って搬送方向に移動する。ガイドレール３５は、ガイドレール３６によって左右のフレーム１３の内側に取付けられている。また、コンベアチエーン２６のローラ３４は、下側のガイドレール３６とこれの上側で左右一対のフレーム１３の内側に取付けられている搬送方向のガイドレール３７とに案内され、搬送方向に移動する。蓋２３がフライイング容器４の上面に乗って、その面を塞いでいるときに、ローラ３４は、下側のガイドレール３６から浮き上がっているが、上側のガイドレール３７によって必要以上に浮き上がらないようになっている。
【００１８】
図１および図２に示すように、油槽５は、その水平な内底面７において、油揚げ加工の時に、揚げ油６を油槽５の内部に供給するために、揚げ油６の油面よりも低い位置で、１または２以上の油ノズル１０と、揚げ油６や揚げかす９を油槽５から外部に排出するために通常１つの油排出口８と、内底面７上で複数の油ノズル１０の間で食品２の搬送方向に対して平行な複数の整流用の仕切板１２とを備えている。
【００１９】
油ノズル１０は、油槽５の内底面７において幅方向で複数、例えば４分割した状態で、油排出口８の方向に向けられて設けられている。図示の例で、油ノズル１０は、搬送方向において、油排出口８よりも上流側で合計８個、油排出口８よりも下流側でも合計８個設けられている。
【００２０】
また、複数の整流用の仕切板１２は、油ノズル１０のノズル吹き出し口１９からの揚げ油６の流れを良好にし、油槽５の内部での揚げ油６の温度分布を均一化すると共に、揚げかす９を滞留することなく油排出口８まで滑り行かせるために、食品２の搬送方向に対して平行とし、隣り合う油ノズル１０の間で垂直な状態で内底面７に溶接などの固着手段により取付けられている。仕切板１２の高さは、フライイング容器４の底部に接触しない程度とする。なお、この例で、油排出口８の位置で、仕切板１２は、清掃の容易性などの観点から分断されているが、そこでも連続していてもよい。
【００２１】
図４および図５は、油排出口８に近い位置の１つの油ノズル１０の構成例を示している。これらの図において、油ノズル１０は、それぞれ油槽５の内底面７の開口部１５に下方からあてがわれ、溶接または固定ねじなどにより油漏れのない状態で固定された上面開口逆台形型のノズル本体１６と、開口部１５の位置で内底面７の下面に固定されたヒンジ１７により開口部１５に対して上方向に開閉自在に取付けられた板状のノズル区画体１８と、このノズル区画体１８の端部に取付けられ、ノズル本体１６とともにノズル吹き出し口１９を形成するノズル吹き出し口調整体２０とにより構成されている。ノズル吹き出し口調整体２０は、その長孔３９とノズル区画体１８の締め付け用ねじ４０とによって取付け位置を調節できる。この取付け位置の調節により、ノズル吹き出し口１９の開口量は調整できるようになっている。なお、油排出口８から離れた位置、すなわち内底面７の屈曲部でのノズル本体１６は、上面開口逆台形型でなく、上面開口直角三角形型となる。ちなみにノズル本体１６は、必要に応じて、揚げ油６の噴出方向、その流れを整えるために、内部に整流板４１を有している。
【００２２】
食品２の揚げ加工に際して、左右一対のフレーム１３および枠体２９は、食品搬送装置３（食品搬送コンベア２１・蓋搬送コンベア２２）とともに、油槽５の内部に納められ、枠体２９を受け部３０に載せて、所定の高さに設定される。この設定状態で、揚げ油６は、図示しないポンプ、熱交換器により食品２の揚げ加工に適切な温度に加熱された後に、油ノズル１０から油槽５に供給され、そのノズル吹き出し口１９から噴射され、油槽５の内部に所定の高さの油面を形成して、食品２の揚げ加工に備える。
【００２３】
油槽５の内部の揚げ油６は、噴流により油槽５の内部を移動して、油排出口８から回収され、図示しない濾過器で濾過されてから、再び上記のポンプ、熱交換器に供給される。このように、揚げ油６は、ポンプ、熱交換器、油ノズル１０、油槽５、油排出口８、濾過器などの油循環経路を通って、油槽５に供給され、繰り返し使用される。
【００２４】
油揚げ稼働時に、食品の油揚げ装置１は、次のようにして、食品２の揚げ加工を行う。前記のように、食品搬送コンベア２１のコンベアチエーン２４および蓋搬送コンベア２２のコンベアチエーン２６は、ともに同じ速度で搬送方向に駆動されている。揚げ加工対象の食品２は、例えばコンベア形式の食品投入装置４３によって食品の油揚げ装置１に順次送り込まれ、シュート４４を経てその下のフライイング容器４の内部に投入される。そのフライイング容器４の内部の食品２は、蓋２３により飛び出ないように塞がれてから、油槽５の内部の揚げ油６の油液中に順次に入り、揚げ加工に必要な時間をかけて、適切な温度の揚げ油６の油液中を通過する。
【００２５】
この揚げ加工中に、食品２は、多数の気泡を発生し、この気泡の上昇や、揚げ油６による浮力を受けて、フライイング容器４の内部で浮き上がり傾向となって動くが、蓋２３によってフライイング容器６の内部に拘束されて、飛び出さない。なお、多数の気泡は、フライイング容器４や蓋２３を通過し、揚げ油６の油面に到達し、大気中に分散する。このため、食品２に対する気泡の付着や、油液中での気泡の滞留は殆どなくなり、食品２に対する揚げ油６の熱伝達は低下することもなくなる。
【００２６】
揚げ加工中にも、揚げ油６は、常に油ノズル１０に供給され、そのノズル吹き出し口１９から内底面７に噴射され、油排出口８に向かい、揚げ油６の流れを維持している。このとき、向き合う一対の仕切板１２は、各油ノズル１０を挟む位置で、油ノズル１０からの揚げ油６の流れ方向にあって、各油ノズル１０からの揚げ油６の流れを整流し、層流として維持し、それぞれの油ノズル１０からの揚げ油６の流れ方向に対して交差する方向への分散、他の油ノズル１０からの揚げ油６どうしの流れの干渉、さらに乱流の形成を防止している。このように、仕切板１２は、油槽５の内部で整流作用を営んでいる。
【００２７】
図６は、４つの油ノズル１０について揚げ油６の流れの流速分布を示している。図６において、加熱状態の揚げ油６の流れの流速分布は、それぞれの油ノズル１０およびその油ノズル１０を挟み込むように対向状態の仕切板１２毎に独立しており、油ノズル１０の幅方向の中心位置つまりノズル吹き出し口１９における中央部が最も速く、両端部の仕切板１２に近づくほど遅くなる。このため、揚げ油６の流速分布は、全体として均一化する。したがって、油槽５の内部で、揚げ油６の温度分布も均一化され、揚げ加工のための揚げ油６の熱は、油槽５の内部でほぼ均一に維持され、食品２に対する熱伝達も効率よく安定に行える。
【００２８】
しかも、対向状態の仕切板１２の間で、揚げ油６について必要な流速が維持できるため、油槽５の底に沈下した食品破片などの揚げかす９はその流れに押されて、滞留しないで、油排出口８まで滑り行くことになる。油排出口８の揚げ油６は、使用済の油としてポンプ作用によって吸引され、油循環経路に入り、濾過され、加熱されて、使用可能な期間にわたって繰り返し使用される。
【００２９】
なお、従来の１個の油ノズル１０における揚げ油６の流れの流速分布は、二点鎖線の想像線で示すようになり、両端部つまり油槽５の内壁に近づくほど大きく減衰している。このため、従来例において、油槽５の内部で揚げ油６の温度分布は、不均一なものとなっている。
【００３０】
揚げ加工後の食品２は、油槽５の揚げ油６から出て、フライイング容器４の反転によりその内部から落下し、案内体４５に案内され、一旦、可動案内体４６に乗り、その傾斜によってバーコンベア２８に移載され、次の工程に移送される。
【００３１】
次に図７は、他の実施態様による食品の油揚げ装置１を示している。図７の実施態様において、油槽５の内底面７は、搬送方向の上流側の端部から下流側の低い位置の油排出口８までの区間で油排出口８に向けて低く傾斜する斜面と、油排出口８から下流側の端部までの区間でやや急に高く傾斜する斜面により構成されている。
【００３２】
それらの斜面の勾配は、揚げ油６中の揚げかす９を内底面７の上部から下部の油排出口８まで滑り行く程度に設定される。油排出口８よりも上流側では、フライイング容器４などの搬送方向と油ノズル１０の噴射方向とが一致しているため、内底面７の傾斜はゆるくてもよい。これに対して油排出口８よりも下流側では、フライイング容器４などの搬送方向と油ノズル１０の噴射方向とが一致していないため、内底面７の傾斜は急勾配として、揚げかす９の油排出口８への移動を可能としている。複数の油ノズル１０は、油排出口８に向け傾斜状態の内底面７に設置されている。
【００３３】
この例でも、油ノズル１０は、内底面７の幅方向で複数に分割されており、内底面７上で所定の距離ごとに配置されている。また、整流用の仕切板１２は、傾斜状態の内底面７にそって油ノズル１０の間に設置されている。
【００３４】
油揚げ加工時に、油ノズル１０から噴射された揚げ油６は、常時、排出口８に向かい、仕切板１２によって整流され、均一な流速分布の状態で流れを維持している。この例によると、内底面７が揚げかす９の排出方向に低くなっているため、油揚げ加工時に発生した揚げかす９は、揚げ油６の排出口８に向かう流れにそって排出口８まで滑り行く。
【００３５】
さらに、この例において、油槽５は、内底面７の両端部において、その幅方向で複数、例えば油ノズル１０の数に対応して４個の洗浄ノズル１１を有している。内底面７の両端部において、合計８個の洗浄ノズル１１は、揚げ油６の油面より若干上の位置で内底面７に設置されており、その構成は、部品数を少なくするために、好ましくは油ノズル１０と同一の構造とするか、または類似構造で寸法を異なるものとして構成する。これらの洗浄ノズル１１は、図示しないが、洗浄液３８の加圧供給装置に接続されているほか、必要に応じて揚げ油６の噴射を可能とするために、揚げ油６の油循環経路にも切り換え接続できるようになっている。
【００３６】
揚げ加工中に、油かすや食品破片などの揚げかす９は、油槽５の油面近くの内壁や内底面７に滞留し、そこに付着し易くなる。このため、作業員は、一定の期間毎に洗浄ノズル１１の通路を洗浄液３８の加圧供給装置から揚げ油６の油循環経路に切り換え、洗浄ノズル１１から揚げ油６を噴射状態として送り出させる。このときの噴射状態の揚げ油６は、油面近くや内底面７に滞留している揚げかす９を油排出口８の方向に積極的に移動させ、さらに油槽５の内壁に付着している揚げかす９の付着を防止し、それらの揚げかす９を油排出口８まで滑り行かせることによって、揚げかす９の回収効率を高める。
【００３７】
上記のように、揚げ加工中に、揚げかす９の排除が積極的に行われても、油槽５の内面には、油かすや食品２の破片などの揚げかす９が付着する。このため、油槽５の内面について、定期的な保守清掃が必要となる。この保守清掃の時に、作業員は、まず、油槽５の内部の揚げ油６を排除し、つぎにフレーム１３および枠体２９を食品搬送装置３（食品搬送コンベア２１、蓋搬送コンベア２２）とともに、油槽５より引き上げた後、洗浄ノズル１１より洗浄液３８を噴射し、噴射状態の洗浄液３８によって油槽５の内底面７や内側面を洗浄する。また、図５のように、ノズル区画体１８を開くことによって、油ノズル１０の内部の清掃も容易にできる状態となる。
【産業上の利用可能性】
【００３８】
本発明に係る食品の油揚げ装置１は、即席麺やカップ麺を揚げ加工対象としているが、油揚げ加工の必要なその他の食品にも適用できる。
【図面の簡単な説明】
【００３９】
【図１】本発明に係る食品の油揚げ装置１の概略的な側面図である。
【図２】図１のＡ−Ａ矢視方向の断面図である。
【図３】ローラ３３、３４およびガイドレール３５、３６、３７の部分の拡大断面図である。
【図４】油ノズル１０の拡大平面図である。
【図５】油ノズル１０の拡大断面図である。
【図６】揚げ油６の流速分布の説明図である。
【図７】本発明に係る他の食品の油揚げ装置１の概略的な側面図である。
【符号の説明】
【００４０】
１  食品の油揚げ装置
２  食品
３  食品搬送装置
４  フライイング容器
５  油糟
６  揚げ油
７  内底面
８  油排出口
９  揚げかす
１０  油ノズル
１１  洗浄ノズル
１２  仕切板
１３  フレーム
１５  開口部
１６  ノズル本体
１７  ヒンジ
１８  ノズル区画体
１９  ノズル吹き出し口
２０  ノズル吹き出し口調整体
２１  食品搬送コンベア
２２  蓋搬送コンベア
２３  蓋
２４  コンベアチエーン
２５  チエーンホイール
２６  コンベアチエーン
２７  チエーンホイール
２８  バーコンベア
２９  枠体
３０  受け部
３１  アタッチメント
３２  アタッチメント
３３  ローラ
３４  ローラ
３５  ガイドレール
３６  ガイドレール
３７  ガイドレール
３８  洗浄液
３９  長孔
４０  締め付け用ねじ
４１  整流板
４３  食品投入装置
４４  シュート
４５  案内体
４６  可動案内体
【図１】
2008188255.tif 000003
【図２】
2008188255.tif 000004
【図３】
2008188255.tif 000005
【図４】
2008188255.tif 000006
【図５】
2008188255.tif 000007
【図６】
2008188255.tif 000008
【図７】
2008188255.tif 000009